(57)【特許請求の範囲】
【請求項１】
第１樹脂フレームと、
前記第１樹脂フレームの上方に設けられる第２樹脂フレームと、
前記第１樹脂フレームと前記第２樹脂フレームとの間に設けられる光学フィルム組と、を備え、
前記第１樹脂フレームに前記光学フィルム組が載置され、前記第２樹脂フレームが前記光学フィルム組を押圧することにより、前記光学フィルム組が固定的に取り付けられ、
前記第１樹脂フレームは、横断面が段差状を呈し、第１上面と、第２上面と、前記第１上面と前記第２上面とを連結する第１連結面とを有し、前記第１上面は、前記第１連結面に連結される一端から他端まで下方に傾斜する斜面であり、前記光学フィルム組は前記第１上面に載置され、前記第２上面は前記第２樹脂フレームを支持し、
前記第２樹脂フレームは、第１底面と、この第１底面に連結された第２底面と、この第２底面に連結された第３底面とを有し、前記第１底面は、前記光学フィルム組を押圧する平面であり、前記第２底面は、前記光学フィルム組を押圧する斜面であり、前記第３底面は、前記第１樹脂フレームの第２上面に支持される平面であることを特徴とする光学フィルム組の取付構造。
【請求項２】
前記第２底面は、前記第３底面に連結された一端から前記第１底面に連結された一端まで下方に傾斜しかつその傾斜度が前記第１上面と同じ、前記第１樹脂フレームの第２上面は平面であり、前記第２樹脂フレームの第３底面は平面であることを特徴とする請求項１に記載の光学フィルム組の取付構造。
【請求項３】
前記光学フィルム組の取付構造は、背面板と、この背面板に取り付けられた導光板と、前記背面板に取り付けられたバックライト光源と、前記第２樹脂フレームに載置された液晶パネルと、この液晶パネルの周縁を覆う前枠とをさらに備え、前記背面板は、底板及びこの底板の側縁に連結されている側板を備え、前記第１樹脂フレームが前記側板に支持されることを特徴とする請求項２に記載の光学フィルム組の取付構造。
【請求項４】
前記第１樹脂フレームは、第１下面と、第２下面と、前記第１下面と前記第２下面とを連結する第２連結面とをさらに有し、前記第１下面は前記導光板に支持される平面であり、前記第２下面は前記背面板の側板に支持される平面であることを特徴とする請求項３に記載の光学フィルム組の取付構造。
【請求項５】
前記第２樹脂フレームは、第１頂面と、第２頂面と、前記第１頂面と前記第２頂面とを連結する第３連結面とをさらに有し、前記第１頂面は前記液晶パネルを支持する平面であり、前記第２頂面は前記前枠を支持する平面であることを特徴とする請求項４に記載の光学フィルム組の取付構造。
【請求項６】
前記バックライト光源は、前記第１樹脂フレームの第２下面を支持する前記背面板の側板に取り付けられていることを特徴とする請求項４に記載の光学フィルム組の取付構造。
【請求項７】
前記光学フィルム組の取付構造は、底部反射シートをさらに備え、前記導光板は前記底板に取り付けられ、前記底部反射シートは前記導光板と前記底板との間に設けられることを特徴とする請求項３に記載の光学フィルム組の取付構造。
【請求項８】
第１樹脂フレームと、
前記第１樹脂フレームの上方に設けられる第２樹脂フレームと、
前記第１樹脂フレームと前記第２樹脂フレームとの間に設けられる光学フィルム組と、を備え、
前記第１樹脂フレームに前記光学フィルム組が載置され、前記第２樹脂フレームが前記光学フィルム組を押圧することにより、前記光学フィルム組が固定的に取り付けられ、
前記第１樹脂フレームは、横断面が段差状を呈し、第１上面と、第２上面と、前記第１上面と前記第２上面とを連結する第１連結面とを有し、前記第１上面は、前記第１連結面に連結される一端から他端まで下方に傾斜する斜面であり、前記光学フィルム組は前記第１上面に載置され、前記第２上面は前記第２樹脂フレームを支持し、
前記第２樹脂フレームは、第１底面と、この第１底面に連結された第２底面と、この第２底面に連結された第３底面とを有し、前記第１底面は、前記光学フィルム組を押圧する平面であり、前記第２底面は、前記光学フィルム組を押圧する斜面であり、前記第３底面は、前記第１樹脂フレームの第２上面に支持される平面であり、
前記第２底面は、前記第３底面に連結された一端から前記第１底面に連結された一端まで下方に傾斜しかつ傾斜度が前記第１上面と同じ、前記第１樹脂フレームの第２上面は平面であり、前記第２樹脂フレームの第３底面は平面であることを特徴とする光学フィルム組の取付構造。
【請求項９】
前記光学フィルム組の取付構造は、背面板と、この背面板に取り付けられた導光板と、前記背面板に取り付けられたバックライト光源と、前記第２樹脂フレームに載置された液晶パネルと、この液晶パネルの周縁を覆う前枠とをさらに備え、前記背面板は、底板及びこの底板の側縁に連結されている側板を備え、前記第１樹脂フレームが前記側板に支持されることを特徴とする請求項８に記載の光学フィルム組の取付構造。
【請求項１０】
前記第１樹脂フレームは、第１下面と、第２下面と、前記第１下面と前記第２下面とを連結する第２連結面とをさらに有し、前記第１下面は前記導光板に支持される平面であり、前記第２下面は前記背面板の側板に支持される平面であることを特徴とする請求項９に記載の光学フィルム組の取付構造。
【請求項１１】
前記第２樹脂フレームは、第１頂面と、第２頂面と、前記第１頂面と前記第２頂面とを連結する第３連結面とをさらに有し、前記第１頂面は前記液晶パネルを支持する平面であり、前記第２頂面は前記前枠を支持する平面であることを特徴とする請求項１０に記載の光学フィルム組の取付構造。
【請求項１２】
前記バックライト光源は、前記第１樹脂フレームの第２下面を支持する前記背面板の側板に取り付けられていることを特徴とする請求項１０に記載の光学フィルム組の取付構造。
【請求項１３】
前記光学フィルム組の取付構造は、底部反射シートをさらに備え、前記導光板は前記底板に取り付けられ、前記底部反射シートは前記導光板と前記底板との間に設けられることを特徴とする請求項９に記載の光学フィルム組の取付構造。
【発明の詳細な説明】
【技術分野】
【０００１】
本発明は、表示技術分野に関し、特に光学フィルム組（Optical  Film  Set）の取付構造に関するものである。
【背景技術】
【０００２】
液晶表示装置は、その薄型化、節電、無放射などの多いメリットにより、携帯電話、個人用携帯情報端末（ＰＤＡ）、デジタルカメラ、コンピューターやノートパソコンなどに広く使用されている。
【０００３】
現在市販されている液晶表示装置は殆どが、バックライト型の液晶表示装置であり、ハウジング内に設けられた液晶表示パネルおよびハウジング内に設けられたバックライトモジュール（backlight  module）を備えている。伝統的な液晶表示パネルの構造は、カラーフィルタ基板（Color Filter）、薄膜トランジスタアレイ基板（Thin  Film  Transistor  Array  Substrate、ＴＦＴ  Array  Substrate）及び両基板間に配置された液晶層（Liquid  Crystal  Layer）によって構成され、その動作原理は、バックライトモジュールの光線が屈折して透過するように２枚のガラス基板に駆動電圧を印加することにより、液晶分子の配向方向を制御して画像を生成することである。液晶表示パネル自身が発光することができないので、バックライトモジュールが提供する光源で画像を表示する必要がある。すなわち、バックライトモジュールは、液晶表示装置における重要な部材の１つである。バックライトモジュールは、光源の入射位置によってエッジ型バックライトモジュールと直下型バックライトモジュールを含む２種類に分けられる。直下型バックライトモジュールは、発光光源、例えば冷陰極蛍光管（Cold Cathode  Fluorescent  Lamp、ＣＣＦＬ）または発光ダイオード（Light  Emitting  Diode、ＬＥＤ）を液晶表示パネルの後方に配置することにより、直接面光源を形成し、これを液晶表示パネルに提供する。エッジ型バックライトモジュールは、バックライト光源としてのＬＥＤライドバー（Light  bar）を液晶表示パネルの後方の背面板のエッジに配置する。ＬＥＤライドバーが出射する光線は、導光板（Light  Guide  Plate、ＬＧＰ）の一側の入射面から入射し、該導光板中での反射および拡散によって導光板の出射面から出射する。その後、これが光学フィルム組を経由することにより、面光源を形成し、これを液晶表示パネルに提供する。この過程において、光学フィルム組は、面光源を均一化させ且つバックライトの輝度を向上させる役割を果たす。
【０００４】
液晶表示装置の狭額縁化の流行に随い、光学フィルム組の取付が特に重要となった。光学フィルム組が不正に取付られると、バックライトの均一度が容易に悪くなってしまい、さらにバックライトの光漏れをもたらす恐れもある。
【０００５】
図１及び図２は、従来のバックライトモジュールの、光が入射する側と光が入射しない側との取付構造をそれぞれ示す図である。光が入射する側と光が入射しない側とにおいて、光学フィルム組はいずれも樹脂フレーム９００の下面に取り付けられる。この樹脂フレーム９００は、横断面が一段階の段差状を呈し、平面である底面９０１及び段差部９０３を有する。前記底面９０１が光学フィルム組７００を押圧することによって光学フィルム組７００が取り付けられ、段差部９０３には液晶表示パネルが載置される。この光学フィルム組７００の取付構造は簡単であるが、液晶表示装置の額縁が狭くなるに随い光学フィルム組の取付に前記樹脂フレーム９００の使用される幅が狭くなることにより、光学フィルム組７００が樹脂フレーム９００から下方へ容易に脱落されてしまうので、光漏れや輝度の不均一などの光学的な問題が生じてしまう。
【０００６】
図３及び図４は、従来の別のバックライトモジュールの、光が入射する側と光が入射しない側との取付構造をそれぞれ示す図であり、上記の光学フィルム組の取付構造との相違は、光が入射する側と光が入射しない側とにおいて、光学フィルム組７００′はいずれも樹脂フレーム９００′の上面に取り付けられるものである。この樹脂フレーム９００′は、横断面が二段階の段差状を呈し、第１段差部９０１′及び第２段差部９０３′を有し、第１段差部９０１′は光学フィルム組７００′を取り付けるための平面９０５を有する。第１段差部９０１′には光学フィルム組７００′が取り付けられ、第２段差部９０３′には液晶表示パネルが載置される。これらの構成で光学フィルム組７００′を取り付ければ、光漏れや輝度の不均一などの光学的な問題は解決することができるが、その取付構造が複雑なので、組み立てに手間がかかることによって生産効率が低下されてしまう。
【発明の概要】
【発明が解決しようとする課題】
【０００７】
本発明は、バックライトの光漏れや輝度の不均一などの光学的な問題を解決するとともに、構造が簡単で且つ組み立てがし易いことによって光学フィルム組を効果的に取り付けることができる光学フィルム組の取付構造を提供することを目的とする。
【課題を解決するための手段】
【０００８】
上述した問題を解決するため、本発明に係る光学フィルム組の取付構造は、第１樹脂フレームと、前記第１樹脂フレームの上方に設けられる第２樹脂フレームと、前記第１樹脂フレームと前記第２樹脂フレームとの間に設けられる光学フィルム組とを備え、前記第１樹脂フレームに前記光学フィルム組が載置され、前記第２樹脂フレームが前記前記光学フィルム組を押圧することにより、前記光学フィルム組が固定的に取り付けられる。
【０００９】
また、前記第１樹脂フレームは、横断面が段差状を呈し、第１上面と、第２上面と、前記第１上面と前記第２上面とを連結する第１連結面とを有し、前記第１上面は、前記第１連結面に連結される一端から他端まで下方に傾斜する斜面であり、前記光学フィルム組は前記第１上面に載置され、前記第２上面は前記第２樹脂フレームを支持する。
【００１０】
また、前記第２樹脂フレームは、第１底面と、この第１底面に連結された第２底面と、この第２底面に連結された第３底面とを有し、前記第１底面は、前記光学フィルム組を押圧する平面であり、前記第２底面は、前記光学フィルム組を押圧する斜面であり、前記第３底面は、前記第１樹脂フレームの第２上面に支持される平面である。
【００１１】
また、前記第２底面は、前記３底面に連結された一端から前記第１底面に連結された一端まで下方に傾斜しかつその傾斜度が前記第１上面と同じ、前記第１樹脂フレームの第２上面は平面であり、前記第２樹脂フレームの第３底面は平面である。
【００１２】
また、前記光学フィルム組の取付構造は、背面板と、この背面板に取り付けられた導光板と、前記背面板に取り付けられたバックライト光源と、前記第２樹脂フレームに載置された液晶パネルと、この液晶パネルの周縁を覆う前枠とをさらに備え、前記背面板は、底板及びこの底板の側縁に連結されている側板を備え、前記第１樹脂フレームが前記側板に支持される。
【００１３】
また、前記第１樹脂フレームは、第１下面と、第２下面と、前記第１下面と前記第２下面とを連結する第２連結面とをさらに有し、前記第１下面は前記導光板に支持される平面であり、前記第２下面は前記背面板の側板に支持される平面である。
【００１４】
また、前記第２樹脂フレームは、第１頂面と、第２頂面と、前記第１頂面と前記第２頂面とを連結する第３連結面とをさらに有し、前記第１頂面は前記液晶パネルを支持する平面であり、前記第２頂面は前記前枠を支持する平面である。
【００１５】
また、前記バックライト光源は、前記第１樹脂フレームの第２下面を支持する前記背面板の側板に取り付けられている。
【００１６】
また、前記光学フィルム組の取付構造は、底部反射シートをさらに備え、前記導光板は前記底板に取り付けられ、前記底部反射シートは前記導光板と前記底板との間に設けられる。
【００１７】
上述した問題を解決するため、本発明に係る光学フィルム組の取付構造は、第１樹脂フレームと、前記第１樹脂フレームの上方に設けられる第２樹脂フレームと、前記第１樹脂フレームと前記第２樹脂フレームとの間に設けられる光学フィルム組とを備え、前記第１樹脂フレームに前記光学フィルム組が載置され、前記第２樹脂フレームが前記前記光学フィルム組を押圧することにより、前記光学フィルム組が固定的に取り付けられ、
前記第１樹脂フレームは、横断面が段差状を呈し、第１上面と、第２上面と、前記第１上面と前記第２上面とを連結する第１連結面とを有し、前記第１上面は、前記第１連結面に連結される一端から他端まで下方に傾斜する斜面であり、前記光学フィルム組は前記第１上面に載置され、前記第２上面は前記第２樹脂フレームを支持し、
前記第２樹脂フレームは、第１底面と、この第１底面に連結された第２底面と、この第２底面に連結された第３底面とを有し、前記第１底面は、前記光学フィルム組を押圧する平面であり、前記第２底面は、前記光学フィルム組を押圧する斜面であり、前記第３底面は、前記第１樹脂フレームの第２上面に支持される平面であり、
前記第２底面は、前記３底面に連結された一端から前記第１底面に連結された一端まで下方に傾斜しかつ傾斜度が前記第１上面と同じ、前記第１樹脂フレームの第２上面は平面であり、前記第２樹脂フレームの第３底面は平面である。
【００１８】
また、前記光学フィルム組の取付構造は、背面板と、この背面板に取り付けられた導光板と、前記背面板に取り付けられたバックライト光源と、前記第２樹脂フレームに載置された液晶パネルと、この液晶パネルの周縁を覆う前枠とをさらに備え、前記背面板は、底板及びこの底板の側縁に連結されている側板を備え、前記第１樹脂フレームが前記側板に支持される。
【００１９】
また、前記第１樹脂フレームは、第１下面と、第２下面と、前記第１下面と前記第２下面とを連結する第２連結面とをさらに有し、前記第１下面は前記導光板に支持される平面であり、前記第２下面は前記背面板の側板に支持される平面である。
【００２０】
また、前記第２樹脂フレームは、第１頂面と、第２頂面と、前記第１頂面と前記第２頂面とを連結する第３連結面とをさらに有し、前記第１頂面は前記液晶パネルを支持する平面であり、前記第２頂面は前記前枠を支持する平面である。
【００２１】
また、前記バックライト光源は、前記第１樹脂フレームの第２下面を支持する前記背面板の側板に取り付けられている。
【００２２】
また、前記光学フィルム組の取付構造は、底部反射シートをさらに備え、前記導光板は前記底板に取り付けられ、前記底部反射シートは前記導光板と前記底板との間に設けられる。
【発明の効果】
【００２３】
本発明に係る光学フィルム組の取付構造は、光学フィルム組を第１樹脂フレームと第２樹脂フレームとの間に取り付け、第１樹脂フレームに傾斜の第１上面を設け、第２樹脂フレームに第１底面及びこの第１底面に連結されかつ第１上面と同じ傾斜度の第２底面を設け、第１上面に光学フィルム組を載置し、第１底面及び第２底面でこの光学フィルム組をしっかりと押圧することにより、光学フィルム組を効果的に固定して取り付けて光学フィルム組の脱落を防止し、バックライトの光漏れや輝度の不均一などの問題を回避して、表示品質を向上させ、後続の組み立て操作を簡単にして、生産効率を向上させることができる。
【００２４】
本発明の特徴及び技術内容をより明確に了解させるために、以下、本発明に関する詳細な説明及び図面を提供したが、図面は参考及び説明するためのものにすぎず、本発明に対して限定するためのものではない。
【図面の簡単な説明】
【００２５】
以下、本発明の技術内容及びその技術効果が自明になるように、図面を参照しながら本発明に係る具体的な実施例について説明する。
【図１】従来のバックライトモジュールの、光が入射される側の光学フィルム組の取付構造を示す図である。
【図２】従来のバックライトモジュールの、光が入射されない側の光学フィルム組の取付構造を示す図である。
【図３】従来の別のバックライトモジュールの、光が入射される側の光学フィルム組の取付構造を示す図である。
【図４】従来の別のバックライトモジュールの、光が入射されない側の光学フィルム組の取付構造を示す図である。
【図５】本発明に係る光学フィルム組の取付構造を示す図である。
【発明を実施するための形態】
【００２６】
以下、本発明の技術手段及びその効果の更なる陳述のために、本発明の好ましい実施例及びその図面を併せて参照しながら説明する。
【００２７】
図５を参照すれば、本発明に係る光学フィルム組の取付構造は、第１樹脂フレーム６と、前記第１樹脂フレーム６の上方に設けられる第２樹脂フレーム８と、前記第１樹脂フレーム６と前記第２樹脂フレーム８との間に設けられる光学フィルム組９と、を備える。光学フィルム組９が前記第１樹脂フレーム６に載置されるとともに前記第２樹脂フレーム８がこの光学フィルム組９を押圧することにより、前記光学フィルム組９が固定的に取り付けられる。
【００２８】
前記光学フィルム組の取付構造は、背面板２と、背面板２に取り付けられた導光板３と、背面板２に取り付けられたバックライト光源４と、第２樹脂フレーム８上に載置された液晶パネル５と、液晶パネル５の周縁を覆う前枠７と、をさらに備える。前記背面板２は、底板２２及びこの底板２２の側縁に連結されている側板２４を備える。
【００２９】
具体的には、前記第１樹脂フレーム６は、横断面が段差状を呈し、第１上面６１と、第２上面６３と、第１上面６１と第２上面６３とを連結する第１連結面６５と、を有する。前記第１上面６１は、第１連結面６５に連結される一端から他端まで下方に傾斜する斜面であり、前記光学フィルム組９を載置するためのものである。前記第２上面６３は、前記第２樹脂フレーム８を支持するためのものである。
【００３０】
前記第１樹脂フレーム６は、第１下面６２と、第２下面６４と、前記第１下面６２と前記第２下面６４とを連結する第２連結面６６と、をさらに有する。第１下面６２は前記導光板３に支持される平面であり、第２下面６４は前記背面板２の側板２４に支持される平面である。
【００３１】
前記第２樹脂フレーム８は、第１底面８１と、この第１底面８１に連結された第２底面８３と、この第２底面８３に連結された第３底面８５と、を有する。前記第１底面８１は、前記光学フィルム組９が前記導光板３に当接するように、前記光学フィルム組９を押圧するための平面である。前記第２底面８３は、第３底面８５に連結された一端から第１底面８１に連結された一端まで下方に傾斜する、傾斜度が前記第１上面６１と同じである斜面であり、前記光学フィルム組９が前記第１上面６１に当接するように、前記光学フィルム組９を押圧するためのものである。前記第３底面８５は、前記第１樹脂フレーム６の第２上面６３に支持される平面である。
【００３２】
前記第２樹脂フレーム８は、第１頂面８２と、第２頂面８４と、前記第１頂面８２と前記第２頂面８４とを連結する第３連結面８６と、をさらに有する。第１頂面８２は前記液晶パネル５を支持するための平面であり、第２頂面８４は前記前枠７を支持するための平面である。
【００３３】
前記バックライト光源４は、前記第１樹脂フレーム６の第２下面６４を支持する前記背面板２の側板２４に取り付けられている。
【００３４】
前記光学フィルム組９が前記第１樹脂フレーム６の第１上面６１上に載置され、前記第２樹脂フレーム８の第１底面８１と第２底面８３とが光学フィルム組９を押圧することにより、前記光学フィルム組９が前記第１樹脂フレーム６と前記第２樹脂フレーム８との間に取り付けられる。前記第１樹脂フレーム６が前記光学フィルム組９の下方に位置して、前記第１樹脂フレーム６の第１下面６２が前記バックライト光源４からの光線を遮蔽することができるので、光漏れや輝度の不均一などの生じることを回避することができる。前記第２樹脂フレーム８が前記光学フィルム組９の上方に位置して、前記第２樹脂フレーム８の第１底面８１及び第２底面８３が光学フィルム組９をしっかりと押圧するので、光学フィルム組９の脱落を防止し、後続の組み立ての操作が簡単となる。また、前記第１上面６１と前記第２底面８３との傾斜度が同じに設計されて、光学フィルム組９がこの箇所で円滑に移行されることができるので、内応力の発生を防止して光学フィルム組９に皺が生じることを回避することにより、表示品質を確保することができる。
【００３５】
なお、前記光学フィルム組の取付構造は、底部反射シート１０をさらに備え、前記導光板３は底板２２に取り付けられ、前記底部反射シート１０は前記導光板３と前記底板２２との間に設けられる。
【００３６】
よって、本発明に係る光学フィルム組の取付構造は、光学フィルム組を第１樹脂フレームと第２樹脂フレームとの間に取り付け、第１樹脂フレームに傾斜の第１上面を設け、第２樹脂フレームに第１底面及びこの第１底面に連結されかつ第１上面と同じ傾斜度の第２底面を設け、第１上面に光学フィルム組を載置し、第１底面及び第２底面でこの光学フィルム組をしっかりと押圧することにより、光学フィルム組を効果的に固定して取り付けて光学フィルム組の脱落を防止し、バックライトの光漏れや輝度の不均一などの問題を回避して、表示品質を向上させ、後続の組み立て操作を簡単にして、生産効率を向上させることができる。
【００３７】
当業者であれば、本発明の技術内容及び技術思想に基づいて相応的な修正及び変更を行うことはできるが、これらの修正及び変更は本発明の特許請求の範囲に属すべきものである。
【図１】
0006276418.tif 000002
【図２】
0006276418.tif 000003
【図３】
0006276418.tif 000004
【図４】
0006276418.tif 000005
【図５】
0006276418.tif 000006